(57)【要約】      （修正有）【課題】複数のプリントジョブをネスティングなど集約印刷する場合、記録媒体が異なったプリントジョブにおいても、記録媒体別にレイアウトした印刷が行うことができるようにして記録媒体を有効に活用する。【解決手段】受信した複数のプリントジョブを記憶する手段と、該プリントジョブを記録する記録媒体の情報をプリントジョブで指定する手段と、プリントジョブを記録する媒体ごとに分類する手段と、少なくとも２つ以上の記録媒体を切り替える手段と分類ごとにレイアウトを行う手段と、該レイアウトにしたがってプリントジョブの指定した記録媒体に対して該記録媒体切り替え手段を制御し、該記録媒体へ記録する手段とを具備する。【選択図】図３
2010005905.tif 000002
【特許請求の範囲】
【請求項１】
複数のプリントジョブをレイアウトして集約記録することが可能な記録装置において、
複数のプリントジョブを記憶する手段と、
該プリントジョブを記録する記録媒体の情報をプリントジョブで指定する手段と、
プリントジョブを記録する媒体ごとに分類する手段と、
少なくとも２つ以上の記録媒体を切り替える手段と、
分類ごとにレイアウトを行う手段と、
該レイアウトにしたがってプリントジョブの指定した記録媒体に該記録媒体切り替え手段を制御し該記録媒体へ記録する手段と
を備えることを特徴とする記録装置。
【請求項２】
プリントジョブを一定時間受信しなかった場合に集約記録を開始する手段
を備えることを特徴とする請求項１に記載の記憶装置。
【請求項３】
プリントジョブを一定時間受信しなかった時間を媒体ごと管理する手段と、
該一定時間受信しなかった媒体の集約記録の開始を媒体ごとに行う手段と
を備えることを特徴とする請求項１又は請求項２に記載の記録装置。
【請求項４】
該レイアウト後に記録媒体ごとの記録時間を予測する手段と、
該記録時間によって記録する記録媒体の順番を制御する手段と
を備えることを特徴とする請求項１又は請求項２に記載の記録装置。
【請求項５】
記録装置が受信するデータとして集約記録を開始させるコマンド
を備えることを特徴とする請求項１に記載の記録装置。
【請求項６】
集約記録開始コマンドにより、すべての媒体の集約記録を開始する手段
を備えることを特徴とする請求項１、又は請求項５に記載の記録装置。
【請求項７】
集約記録開始コマンドを媒体ごとに管理する手段と、
該集約記録開始コマンドで指定した媒体に対して集約記録を開始する手段
を備えることを特徴とする請求項１、又は請求項５に記載の記録装置。
【請求項８】
プリントジョブに含まれる集約記録開始コマンドを媒体ごとに管理する手段と、
該集約記録開始コマンドを含んだ媒体に対して集約記録を開始する手段と
を備えることを特徴とする請求項１、又は請求項５に記載の記録装置。
【請求項９】
プリントジョブの記録データを回転する手段と、
記録データの回転、非回転を考慮して記録媒体の未使用部分が最小になるように該レイアウトを実行する手段とを備えることを特徴とする請求項１に記載の記録装置。
【請求項１０】
記録媒体の切り替え動作に時間を要さないように記録する媒体の順番を制御する手段を備えることを特徴とする請求項１、又は請求項２に記載の記録装置。
【発明の詳細な説明】
【技術分野】
【０００１】
本発明は、記録データが指定する記録媒体よりも大きな複数の媒体に複数の記録データを集約して記録する記録装置における媒体別の集約制御方法に関する。
【背景技術】
【０００２】
近年、プリンタは年々高画質化している。また、印刷できる媒体の種類・サイズも多様化している。例えばＡ１、Ｂ０などロール紙を使用した幅広タイプの高画質インクジェットプリンターも普及し始めている。従来はオフセット印刷業者に依頼していたようなものを上記プリンタの印刷を最終出力物として使用され始めている。店頭におけるＰＯＰや芸術作品のレプリカ（複製品）などがそれにあたる。一般にインクジェット記録装置は、記録ヘッドおよびインクタンクを搭載するキャリッジと、記録紙を搬送する搬送機構と、これらを制御する制御回路とを具備している。このような記録装置では、インク液滴を吐出させる複数の吐出口を有した記録ヘッドを記録紙の搬送方向（副走査方向）と直行する方向（主走査方向）にシリアル・スキャンさせながらインク吐出を行う一方で、記録ヘッドからのインク吐出がない間に記録紙を記録ヘッドの記録幅に等しい量で間欠的に搬送することにより記録動作を実行する。最終出力物として記録する記録媒体は高価な場合が多い。そのため、レイアウト確認などは安価な記録媒体で、最終出力は高価な媒体に印刷するなど記録媒体を切り替えて使用することがある。また、非定型サイズのＰＯＰや芸術作品はその目的に合ったサイズに印刷を行われることが多い。こうした場合は、印刷サイズよりも大きな定形もしくはロール紙などの記録媒体に印刷することになる。
【０００３】
プリンタの記録媒体を有効（余白を少なく）に活用する手段として集約印刷技術が知られている。これは、複数のプリントジョブをプリンタで記録媒体の大きさにあわせてレイアウトを行うものである。例えば、Ａ２用紙にＡ４原稿を４ページ面つけする方法がそれにあたる。
【０００４】
ネットワークを利用し、任意の場所から任意のプリンタに対して印刷する共有環境における、複数のプリントジョブを集約する方法として下記の提案がされている。プリント画像に識別コードを付加し、その識別コード別に複数のプリント画像を１つの記録シートに形成すべき枚数にしたがって集約印刷する方法（特許文献１参照）が提案されている。また、複数のプリントジョブを集約して記録媒体を有効に活用する手段として、ネスティング技術も知られている（非特許文献１参照）。これは、プリントジョブの縦横の長さと記録媒体の幅（横）とを比較し、記録媒体の使用効率が上がるように画像を回転、もしくは非回転を判別し印刷するものである。
【特許文献１】特開２００５−１１１９３４号公報
【非特許文献１】日本ヒューレット・パッカード社 ＷＥＢページ      大判プリンタＨＰ  Ｄｅｓｉｇｎｊｅｔ４０００シリーズ
【発明の開示】
【発明が解決しようとする課題】
【０００５】
従来の技術によるプリントジョブが指定する記録媒体に複数のジョブを集約して印刷する場合を示す。最初に受信したプリントジョブの指定する記録媒体とそれ以降に受信したジョブの指定する記録媒体が同一であれば、複数のプリントジョブを集約して印刷することができる。しかしながら、最初のプリントジョブと異なるプリントジョブを受信した時点で、それ以前のプリントジョブによる集約印刷が開始してしまう。最悪の場合は、交互に異なる記録媒体を指定したプリントジョブを受信したときに発生する。この場合は、複数のジョブをまたがった集約印刷が出来なくなってしまうという問題があった。
【課題を解決するための手段】
【０００６】
上記課題を解決するために、本発明にかかわる第１の発明による記録装置は以下の構成からなる。
【０００７】
複数のプリントジョブをレイアウトして集約記録することが可能な記録装置において、複数のプリントジョブを記憶する手段と、該プリントジョブを記録する記録媒体の情報をプリントジョブで指定する手段と、プリントジョブを記録する媒体ごとに分類する手段と、少なくとも２つ以上の記録媒体を切り替える手段と分類ごとにレイアウトを行う手段と、該レイアウトにしたがってプリントジョブの指定した記録媒体に対して該記録媒体切り替え手段を制御し、該記録媒体へ記録する手段とを具備することを特徴とする。
【０００８】
さらに本発明にかかわる第２の発明による記録装置は以下の構成からなる。
【０００９】
すなわち、第１の発明による記録装置において、プリントジョブを一定時間受信しなかった場合に集約記録を開始する手段を具備することを特徴とする。
【００１０】
さらに本発明にかかわる第３の発明による記録装置は以下の構成からなる。
【００１１】
すなわち、第１の発明による記録装置において、プリントジョブを一定時間受信しなかった時間を媒体ごと管理する手段と該一定時間受信しなかった媒体の集約記録の開始を媒体ごとに行う手段とを具備することを特徴とする。
【００１２】
さらに本発明にかかわる第４の発明による記録装置は以下の構成からなる。
【００１３】
すなわち、第１の発明による記録装置において、レイアウト後に記録媒体ごとに記録時間を予測する手段と該記録時間によって記録する記録媒体の順番を制御する手段を具備することを特徴とする。
【００１４】
さらに本発明にかかわる第５の発明による記録装置は以下の構成からなる。
【００１５】
すなわち、第１の発明による記録装置において、プリントジョブに集約記録を開始させるコマンドを具備することを特徴とする。
【００１６】
さらに本発明にかかわる第６の発明による記録装置は以下の構成からなる。
【００１７】
すなわち、第１の発明による記録装置において、プリントジョブに含まれる集約記録開始コマンドにより、すべての媒体の集約記録を開始する手段を具備することを特徴とする。
【００１８】
さらに本発明にかかわる第７の発明による記録装置は以下の構成からなる。
【００１９】
すなわち、第１の発明による記録装置において、集約記録開始コマンドを媒体ごとに管理する手段と該集約記録開始コマンドで指定した媒体に対して集約記録を開始する手段を具備することを特徴とする。
【００２０】
さらに本発明にかかわる第８の発明による記録装置は以下の構成からなる。
【００２１】
すなわち、第１の発明による記録装置において、プリントジョブに含まれる集約記録開始コマンドを媒体ごとに管理する手段と集約記録開始コマンドを含んだ媒体に対して集約記録を開始する手段を具備することを特徴とする。
【００２２】
さらに本発明にかかわる第９の発明による記録装置は以下の構成からなる。
【００２３】
すなわち、第１の発明による記録装置において、プリントジョブの記録データを回転する手段と記録データの回転、非回転を考慮して記録媒体の未使用部分が最小になるように該レイアウトを実行する手段とを具備することを特徴とする。
【００２４】
さらに本発明にかかわる第１０の発明による記録装置は以下の構成からなる。
【００２５】
すなわち、第１の発明による記録装置において、記録媒体の切り替え動作に時間を要さないように記録する媒体の順番を制御する手段を具備することを特徴とする。
【発明の効果】
【００２６】
本発明を実施することにより、プリントジョブの記録画像をプリンタで解析し、その画像特性を分類する。その分類ごとにプリントジョブを管理し記録媒体のサイズの中でレイアウトして印刷することができる。１つのシートに集約する画像数を指定することなく、記録媒体が異なったプリントジョブにおいても、記録媒体別にレイアウトした印刷が行うことができる。そうすることで、記録媒体を有効に活用することが可能となる。
【発明を実施するための最良の形態】
【００２７】
次に、本発明の詳細を実施例の記述に従って説明する。
【００２８】
発明を実施するための最良の形態を、下記の実施例を用いて説明する。
【実施例１】
【００２９】
図１および図２は、本実施例における、集約制御を行うインクジェット記録装置のコントローラ部およびエンジン部の構成を示すブロック図である。
【００３０】
まず、図１コントローラ部の構成および動作について説明する。１０１はＣＰＵである。１０８はＵＳＢインターフェースである。１０９はＩＥＥＥ１３９４インターフェースである。１２２は、ローカルエリアネットワークインターフェースである。１２０、１２１、１２３は記録データを記録装置にデータを送信してくるホストコンピュータである。特にコンピュータ１２３は、1台以上の、ネットワークに接続されたコンピュータ群である。１０２はメモリコントローラである。１０５は、制御プログラムや各種定数データなどを格納したＲＯＭである。１０４は、ホストコンピュータ１２０〜１２３から受信したコマンド信号や画像情報を格納するためのＲＡＭである。ＣＰＵ１０１はこれらのメモリに格納された情報に基づいて記録動作を制御する。１０７は、操作パネルである。１０６は、操作パネル１０７を制御する操作パネルインターフェースである。１１０は、複数の画像データなどを格納可能な大容量の二次記憶装置ＨＤＤである。コンピュータ１２０、１２１、１２３から入力された印刷ジョブは、各種インタフェース１０８，１０９，１２２を経由してＲＡＭ１０４もしくは、ＨＤＤ１１０に格納される。ＣＰＵ１０１は、格納された印刷ジョブ情報のコマンド解釈や画像情報の生成および画像情報の解析を行う。画像の解析結果と画像情報は、ＨＤＤ１１０に格納される。複数の記録画像をＨＤＤ１１０へ格納した後、ＣＰＵ１０１によって記録媒体に対する記録画像のレイアウトが決定される。そのレイアウト情報に基づいて、ＨＤＤ１１０に格納されている記録画像を画像データ処理ブロック１１１に入力する。ここでは、入力されたデータを色変換部で記録装置のインク色（本実施例においては、黒・シアン・マゼンダ・イエローの４色）に分解する。その後、インク色ごとに２値化部で多値の画像データを２値のデータに変換し、エンジン（図２）へ出力する。ＲＡＭ１１２は画像情報処理ブロックで使用するメモリである。またコントローラとエンジンの間の各種コマンドやステータス情報の送受信は画像データと同様に、画像データ処理ブロック１１１を介して行われる。
【００３１】
次に図２で示すみエンジン部の構成および動作概要について説明する。２０９は、バンドメモリ制御ブロックである。エンジン部はバンドメモリ制御ブロック２０９を介してコントローラ（図１）と接続されている。２０１はＣＰＵである。２０３は、制御プログラムや更新可能な制御プログラムや処理プログラムや各種定数データなどを格納したＲＯＭである。２０２は、ＲＡＭである。コントローラ（図１）が受信したコマンド信号や画像情報を格納する。ＣＰＵ２０１はＲＡＭ２０２にアクセスし、これらのメモリに格納された情報に基づいて記録動作を制御する。２０７はキャリッジモータ制御回路である。２０８はキャリッジモータである。キャリッジモータ制御回路２０７により制御される。２０４は、紙搬送モータ制御回路である。２０５は、紙送りモータである。紙搬送モータ制御回路２０４により制御される。２０６は紙搬送機構である。２１１は記録ヘッド制御ブロックである。２１２は記録ヘッド制御ブロック２１１によって制御され、インクを吐出する記録ヘッドである。２２０は２１１記録ヘッド制御ブロックおよび２１２記録ヘッドを含んだキャリッジである。記録ヘッドキャリッジモータ２０８により主走査方向にスキャンする。ＣＰＵ２０１は、ＲＡＭ２０２に格納されている各種情報に基づきバンドメモリ制御ブロック２０９や記録ヘッド制御ブロック２１１を制御して記録ヘッド２１２を駆動することにより記録媒体上に所望の画像を記録することができる。
【００３２】
図９は記録装置の断面図である。本実施例では、記録媒体をロール紙という形態で２種類セットできるものを例にあげるが、種類の数やロール紙のみもしくは、カット紙トロール紙の組み合わせなどの記録媒体の形態について制限するものではない。９０１は、記録媒体Ａのロール紙である。９０２は、記録媒体Ｂのロール紙である。これらのロール紙は２２１の記録媒体制御回路によって制御され排他的に使用される。９０３は、記録媒体Ａの記録媒体切り替え用のローラである。９０４は、記録媒体Ｂの記録媒体切り替え用のローラである。９０５と９０６は、２０４の紙搬送制御回路によって制御されているモータ２０５で駆動される記録媒体搬送ローラである。９０７は、２２０に示した記録ヘッドおよび記録ヘッド制御回路を含んだキャリッジである。このキャリッジは、２０７のキャリッジモータ制御回路により制御され、主走査方向（奥行き：Ｚ方向）にスキャンしながら、記録媒体へ記録していく。９０８は、記録媒体のカット部で９０９は鋭利な刃である。記録動作時には記録媒体の排紙領域から外れた所に位置しており、記録が終了するとＺ方向に移動しながら記録媒体を切断する。９１０は、記録媒体を保護するためのカバーである。このカバーを上にあげることで、記録媒体を交換することができる。
【００３３】
本発明の特徴となるプリントジョブの分類方法を、図３のフローチャートを用いて説明する。Ｓ３０１では、コンピュータ１２０、１２１、１２３から送られてきたプリントジョブを受信する。Ｓ３０２では、プリントジョブのコマンドの解釈と画像データの生成を行う。Ｓ３０３では、次のプリントジョブを受信するまでの時間をカウントする。所定の時間に達する前に次のプリントジョブを受信した場合は、Ｓ３０１のプリントジョブ受信へ移行する。所定の時間内に次のプリントジョブを受信しなかった場合は、Ｓ３０４へ移行する。Ｓ３０４では、記録媒体ごとにレイアウトを開始する。その際、画像の回転も考慮した上で記録媒体の大きさを有効活用できるようにレイアウトを行う。次にＳ３０５では、記録媒体ごとに記録時間を予想する。記録時間の予想は、記録モードと記録領域から容易に算出可能である。記録時間の短い媒体から記録するように順番を確定する。Ｓ３０６では、Ｓ３０５で確定した記録時間の短い記録媒体の順番に従って印刷を開始する。図４は、記録装置が受信するプリントジョブを時間の経過も含めて示している。最初にジョブ１、次にジョブ２、ジョブ３、ジョブ４を順次受信している。各ジョブの記録領域と記録枚数を４０１〜４０４で示している。４０１は、プリントジョブ１が正方形に近い形の記録領域あることと、それを４枚記録することを示している。同様に４０２は、ジョブ２が横長の長方形の記録領域で２枚記録することを示している。４０３は、ジョブ３が横長の長方形の記録領域で８枚記録することを示している。４０４は、ジョブ４が縦長の長方形の記録領域で２枚記録することを示している。４０５は、ジョブ４以降ネスティング記録開始時間までジョブを受信しなかったため、Ｓ３０４の受信待ち状態からＳ３０５のレイアウト作業を開始したことを示している。また、図３で示したフローのＳ３０２のコマンド解釈結果により、各ジョブは記録媒体Ａと記録媒体Ｂに分類されている。ジョブ２とジョブ３が記録媒体Ａ、ジョブ１とジョブ４は記録媒体Ｂへのプリントジョブの場合を例にする。図５には、Ｓ３０４で行われたレイアウト結果を示している。５０１は、記録媒体Ａである。５０２は、記録媒体Ｂである。レイアウトは記録媒体ごとに実施される。記録媒体Ａへのジョブ２とジョブ３で記録媒体を有効活用するようにレイアウトを実施する。その際には、記録データを回転することも考慮する。本実施例では、ジョブ２はそのまま横に並べ、ジョブ３は９０度回転している。１枚はジョブ２の横に残りの６枚はジョブ２の下に並べた形にレイアウトしている。同様に記録媒体Ｂへのジョブ１と４も回転も考慮した上で記録媒体を有効活用するようにレイアウトを実施する。ジョブ１はそのまま４枚を横に並べ、ジョブ４は９０度回転しジョブ１の下に横に並べるレイアウトとしている。Ｓ３０５では、記録媒体ごとの記録時間の算出を以下の様に行う。あらかじめ記録媒体と記録モードごとに、単位面積あたりの記録時間を示したデータを備えておく。これは、ＲＯＭ１０５にあらかじめ登録していても良いし、コンピュータからコマンドとして送信しても良い。各記録媒体のレイアウト後の記録領域と、記録媒体と記録モードの情報から、記録媒体ごとの記録時間を算出することが可能である。例えば、記録媒体Ａと記録媒体Ｂの単位面積あたりの記録時間が同一である場合、図５の例では、５０２に示した記録媒体Ｂの方が５０１の記録媒体Ａよりも記録面積が小さいことが分かる。この場合は、５０２の記録媒体の記録時間のほうが短いと判断し、記録媒体Ｂを最初に印刷し、次に記録媒体Ａを印刷するように制御する。記録媒体Ｂの単位面積あたりの記録時間が、記録媒体Ａの４倍であった場合は、５０１の記録媒体Ａの方が記録時間は短いため、記録媒体Ａを最初に印刷する。次に記録媒体Ｂを印刷するように制御する。実際には、２２１の記録媒体切替制御回路から記録媒体切替機構を制御し、記録媒体Ａもしくは記録媒体Ｂに切り替えた後に印刷を実行する。
【実施例２】
【００３４】
実施例１と同じ構成の記録装置を用いて説明する。図６は、実施例２における処理を示したフローチャートである。Ｓ６０１では、コンピュータ１２０、１２１、１２３から送られてきたプリントジョブを受信する。Ｓ６０２では、プリントジョブのコマンドの解釈と画像データの生成を行い、ＨＤＤに記録Ｓ６０６する。Ｓ６０３では、Ｓ６０２のコマンドの中に印刷を開始するコマンドが含まれているかどうかを判断する。印刷を開始するコマンドが有効ではなかった場合、Ｓ６０１のプリントジョブの受信のステップに移行する。印刷開始のコマンドが有効であった場合、同じプリントジョブのコマンドで指定されている記録媒体の集約レイアウトＳ６０４を開始する。Ｓ６０５では、Ｓ６０４でレイアウトされた情報を元に印刷を開始する。印刷が終了したらＳ６０１のステップに戻る。図７は記録装置が受信するプリントジョブを時間の経過も含めて示している。最初にジョブ１、次にジョブ２、ジョブ３、ジョブ４を順次受信している。各ジョブの記録領域と記録枚数を７０１〜７０４で示している。７０１は、プリントジョブ１が正方形に近い形の記録領域あることと、それを４枚記録することを示している。同様に７０２は、ジョブ２が横長の長方形の記録領域で２枚記録することを示している。７０３は、ジョブ３が横長の長方形の記録領域で８枚記録することを示している。７０４は、ジョブ４が縦長の長方形の記録領域で２枚記録することを示している。また、図６で示したフローのＳ６０２のコマンド解釈結果により、各ジョブは記録媒体Ａと記録媒体Ｂに分類されている。ジョブ２とジョブ３が記録媒体Ａ、ジョブ１とジョブ４は記録媒体Ｂへのプリントジョブであった場合を例にする。図７にあるように、最初に受信するジョブ１は印刷開始コマンドが無効のため、そのまま画像データはＨＤＤ１１０に記録した状態で印刷動作は開始しない。ジョブ２は、ジョブ１と同様に印刷開始コマンドが無効なため、画像データは記憶するが印刷動作は開始しない。ジョブ３は、印刷開始コマンドが有効なため記録媒体Ａへのレイアウト作業を行い印刷を実行する。ジョブ４は、印刷開始コマンドが有効なため記録媒体Ｂへのレイアウト作業を行い印刷を実行する。図８は、実施例１と同様のレイアウト作業を行った結果と出力結果を示す。出力の順番は、印刷開始コマンドを受信した順番に従い、最初に８０１の記録媒体Ａ、次に８０２の記録媒体Ｂを出力する。
【実施例３】
【００３５】
実施例２と同じ構成の記録装置において、プリント開始コマンドを単独で発行することが可能な場合を、図１０のフローチャートを用いて説明する。Ｓ１００１では、ホストコンピュータ１２０，１２１，１２３からデータを受信したかどうかを判断する。データを受信していなければ、そのまま受信状態を維持する。データを受信すると、Ｓ１００２へ進み、受信したデータがプリントジョブなのか、もしくは印刷開始コマンドなのかを判別する。この印刷開始コマンドには、印刷を開始する媒体の情報も含まれている。それは１つの媒体であっても良いし、複数の媒体であっても良い。受信したデータがプリントジョブの場合は、Ｓ１００３のプリントジョブの処理に移行する。Ｓ１００３以降の処理は、実施例２と同じである。Ｓ１００２で印刷開始コマンドであった場合は、Ｓ１００７の開始コマンドで指示された記録媒体の集約レイアウトを開始する。Ｓ１００７以降の処理は実施例２と同一である。
【実施例４】
【００３６】
実施例２と同じ構成の記録装置において、記録媒体の切替時間が短いものを最初に記録を開始する例を説明する。プリントジョブの記録開始の指示は、ジョブに含まれるものであっても、印刷開始コマンド単体であっても良い。図９の記録媒体Ｂを搬送可能な状態から、記録媒体Ａを搬送可能な状態に切り替える動作を説明する。まず、９０２の記録媒体Ｂを半時計回りに回転させ、９０４記録媒体切替機構まで巻き取る。次に９０３の記録媒体切替機構のローラを回転させ、９０１の記録媒体Ａを９０５の紙搬送ローラまで送り出し、記録を開始可能な状態へと切り替わる。ここで、プリントジョブとして記録媒体Ａと記録媒体Ｂを受信した状態で、記録開始コマンドを受信した場合の動作を説明する。記録媒体の指定がある記録開始コマンドを受信した場合は、指定の記録媒体のレイアウトおよび記録媒体の切替尾行った後に印刷を行う。記録媒体の指定がない記録開始コマンドを受信した場合は、まず記録媒体切替機構の状態を確認する。図９の状態を例に取ると９０２の記録媒体Ｂが９０５の紙搬送ローラで搬送可能な状態にあるため、直ちに記録を開始することが可能である。この場合は、最初に記録媒体Ｂの記録データのレイアウトおよび記録を行い、次に記録媒体Ａのレイアウトおよび記録を行う。
【産業上の利用可能性】
【００３７】
上記実施例においては、インクジェット記録装置の実施例を示したが、電子写真など記録方式が異なる装置であってもよい。
【００３８】
また、本発明に係る記録システムの形態は、コンピュータやワードプロセッサなどの情報処理装置の画像出力手段として一体または別体に設けられるものに限らず、読取装置と組み合わせた複写装置や通信機能を有するファクシミリ装置などであってもよい。
【図面の簡単な説明】
【００３９】
【図１】本発明の実施例１および実施例２の記録装置におけるコントローラ部の概略ブロック図である。
【図２】本発明の実施例１および実施例２の記録装置におけるエンジン部の概略ブロック図である。
【図３】本発明の実施例１における記録動作のフローチャートである。
【図４】本発明の実施例１におけるジョブの受信状況を示す概念図である。
【図５】本発明の実施例１における分類ごとのレイアウト結果を示す概念図である。
【図６】本発明の実施例２における記録動作のフローチャートである。
【図７】本発明の実施例２におけるジョブの受信状況を示す概念図である。
【図８】本発明の実施例２における分類ごとのレイアウト結果を示す概念図である。
【図９】本発明の実施例２における記録装置の断面図である。
【図１０】本発明の実施例３における記録動作のフローチャートである。
【符号の説明】
【００４０】
１０１  ＣＰＵ
１０２  メモリコントローラ
１０３  バスブリッジ
１０４  ＲＡＭ
１０５  ＲＯＭ
１０６  操作パネルインタフェース
１０７  操作パネル
１０８  ＵＳＢインタフェース
１０９  ＩＥＥＥ１３９４インタフェース
１１０  ＨＤＤ（ハードディスク）
１１１  画像データ処理ブロック
１１２  画像データ処理ブロック用ＲＡＭ
１２０  ホストコンピュータ１
１２１  ホストコンピュータ２
１２２  ＬＡＮ（ネットワーク）インタフェース
１２３  ホストコンピュータ３
２０１  ＣＰＵ
２０２  ＲＡＭ
２０３  ＲＯＭ
２０４  紙搬送モータ制御回路
２０５  紙搬送モータ
２０６  紙搬送機構
２０７  キャリッジモータ制御回路
２０８  キャリッジモータ
２０９  バンドメモリ制御ブロック
２１０  バンドメモリ制御ブロック用メモリ
２１１  プリントヘッド制御ブロック
２１２  プリントヘッド
２２０  キャリッジ
２２１  記録媒体切替制御回路
２２２  記録媒体切替機構
４０１  ジョブ１の記録領域、記録枚数および分類
４０２  ジョブ２の記録領域、記録枚数および分類
４０３  ジョブ３の記録領域、記録枚数および分類
４０４  ジョブ４の記録領域、記録枚数および分類
４０５  レイアウト開始ポイント
５０１  記録媒体Ａ
５０２  記録媒体Ｂ
７０１  ジョブ１の記録領域、記録枚数および分類
７０２  ジョブ２の記録領域、記録枚数および分類
７０３  ジョブ３の記録領域、記録枚数および分類
７０４  ジョブ４の記録領域、記録枚数および分類
８０１  記録媒体Ａ
８０２  記録媒体Ｂ
９０１  記録媒体Ａ
９０２  記録媒体Ｂ
９０３  記録媒体切替機構
９０４  記録媒体切替機構
９０５  記録媒体搬送ローラ
９０６  記録媒体搬送ローラ
９０７  キャリッジ
９０８  カット部
９０８  記録媒体カッター部
９０９  記録媒体カッターの刃
９１０  記録媒体保護カバー
【図１】
2010005905.tif 000003
【図２】
2010005905.tif 000004
【図３】
2010005905.tif 000005
【図４】
2010005905.tif 000006
【図５】
2010005905.tif 000007
【図６】
2010005905.tif 000008
【図７】
2010005905.tif 000009
【図８】
2010005905.tif 000010
【図９】
2010005905.tif 000011
【図１０】
2010005905.tif 000012